(57)【要約】【課題】複数店舗の出納機の締上処理の完了状況を容易に把握することができる出納機管理システムの提供。【解決手段】金融機関の複数の店舗のそれぞれに設置されて設置店舗の現金類の締上処理を行う出納機と、複数の店舗のそれぞれの出納機と通信し締上処理の完了の有無を含む必要情報を受信して記憶する情報格納手段と、管理センタに設置され、情報格納手段と通信し必要情報を受信して表示するセンタ表示機１３と、を有し、センタ表示機１３は、情報格納手段から受信した必要情報に含まれる締上処理の完了の有無を店舗別に一覧表示可能となっている。【選択図】図３
2015176551.tif 000002
【特許請求の範囲】
【請求項１】
金融機関の複数の店舗のそれぞれに設置されて設置店舗の現金類の締上処理を行う出納機と、
前記複数の店舗のそれぞれの前記出納機と通信し前記締上処理の完了の有無を含む必要情報を受信して記憶する情報格納手段と、
管理センタに設置され、前記情報格納手段と通信し前記必要情報を受信して表示するセンタ表示機と、を有し、
前記センタ表示機は、前記情報格納手段から受信した前記必要情報に含まれる前記締上処理の完了の有無を店舗別に一覧表示可能であることを特徴とする出納機管理システム。
【請求項２】
前記センタ表示機は、前記情報格納手段から受信した前記必要情報に含まれる前記締上処理の完了なしの店舗のみをまとめて表示可能であることを特徴とする請求項１記載の出納機管理システム。
【請求項３】
前記センタ表示機は、前記情報格納手段から前記必要情報を受信した時刻が、予め設定された規定時刻を過ぎている場合には、その旨を表示することを特徴とする請求項１または２記載の出納機管理システム。
【請求項４】
前記情報格納手段は、予め設定された所定時刻に、前記締上処理の完了なしの店舗に対して所定の警告処理を行うことを特徴とする請求項１から３のいずれか一項記載の出納機管理システム。
【請求項５】
前記店舗に設置され、前記情報格納手段と通信し前記必要情報を受信して表示する店舗表示機を有し、
前記店舗表示機は、前記情報格納手段から受信した前記必要情報に含まれる前記締上処理の完了の有無を店舗別に一覧表示可能であることを特徴とする請求項１から４のいずれか一項記載の出納機管理システム。
【請求項６】
前記情報格納手段は、ＷＥＢサーバ装置であり、
前記表示機は、前記ＷＥＢサーバ装置に通信可能なインターネット接続用のＷＥＢブラウザが搭載されたＷＥＢ端末機であることを特徴とする請求項１から５のいずれか一項記載の出納機管理システム。
【請求項７】
前記ＷＥＢサーバ装置はアクセスするＷＥＢ端末機を識別し、該ＷＥＢ端末機が前記必要情報の読み出しが許可されたＷＥＢ端末機である場合に限り、前記必要情報の読み出しを許容することを特徴とする請求項６記載の出納機管理システム。
【発明の詳細な説明】
【技術分野】
【０００１】
本発明は、金融機関の複数の店舗のそれぞれに設置された出納機を一括して管理可能な出納機管理システムに関する。
【背景技術】
【０００２】
金融機関の複数の店舗のそれぞれに設置された出納機を、管理センタのホストコンピュータに通信可能とし、管理センタのホストコンピュータが、集計され登録されたデータを印字する構成の現金管理システムがある（例えば、特許文献１参照）。
【先行技術文献】
【特許文献】
【０００３】
【特許文献１】特許第４３６９６１０号公報
【発明の概要】
【発明が解決しようとする課題】
【０００４】
出納機は、現金および有価証券を含む現金類の締上処理を行うものである。締上処理は、営業日の営業終了時に行われるもので、当日の入金と出金と現金類の在高とを照合する処理である。この締上処理は、店舗毎に行われるものであるため、店舗の状況によって完了時刻がまちまちとなってしまう。管理センタ側では、各店舗の出納機の締上処理の完了状況を容易に把握することはできない。
【０００５】
本発明は、複数店舗の出納機の締上処理の完了状況を容易に把握することができる出納機管理システムの提供を目的とする。
【課題を解決するための手段】
【０００６】
上記目的を達成するために、請求項１に係る発明は、金融機関の複数の店舗のそれぞれに設置されて設置店舗の現金類の締上処理を行う出納機と、前記複数の店舗のそれぞれの前記出納機と通信し前記締上処理の完了の有無を含む必要情報を受信して記憶する情報格納手段と、管理センタに設置され、前記情報格納手段と通信し前記必要情報を受信して表示するセンタ表示機と、を有し、前記センタ表示機は、前記情報格納手段から受信した前記必要情報に含まれる前記締上処理の完了の有無を店舗別に一覧表示可能であることを特徴とする。
【０００７】
請求項２に係る発明は、請求項１に係る発明において、前記センタ表示機は、前記情報格納手段から受信した前記必要情報に含まれる前記締上処理の完了なしの店舗のみをまとめて表示可能であることを特徴とする。
【０００８】
請求項３に係る発明は、請求項１または２に係る発明において、前記センタ表示機は、前記情報格納手段から前記必要情報を受信した時刻が、予め設定された規定時刻を過ぎている場合には、その旨を表示することを特徴とする。
【０００９】
請求項４に係る発明は、請求項１から３のいずれか一項に係る発明において、前記情報格納手段は、予め設定された所定時刻に、前記締上処理の完了なしの店舗に対して所定の警告処理を行うことを特徴とする。
【００１０】
請求項５に係る発明は、請求項１から４のいずれか一項に係る発明において、前記店舗に設置され、前記情報格納手段と通信し前記必要情報を受信して表示する店舗表示機を有し、前記店舗表示機は、前記情報格納手段から受信した前記必要情報に含まれる前記締上処理の完了の有無を店舗別に一覧表示可能であることを特徴とする。
【００１１】
請求項６に係る発明は、請求項１から５のいずれか一項に係る発明において、前記情報格納手段は、ＷＥＢサーバ装置であり、前記表示機は、前記ＷＥＢサーバ装置に通信可能なインターネット接続用のＷＥＢブラウザが搭載されたＷＥＢ端末機であることを特徴とする。
【００１２】
請求項７に係る発明は、請求項６に係る発明において、前記ＷＥＢサーバ装置はアクセスするＷＥＢ端末機を識別し、該ＷＥＢ端末機が前記必要情報の読み出しが許可されたＷＥＢ端末機である場合に限り、前記必要情報の読み出しを許容することを特徴とする。
【発明の効果】
【００１３】
請求項１に係る発明によれば、情報格納手段が、複数の店舗のそれぞれの出納機と通信し締上処理の完了の有無を含む必要情報を受信して記憶することになり、管理センタに設置されたセンタ表示機が、情報格納手段から受信した必要情報に含まれる締上処理の完了の有無を店舗別に一覧表示させる。よって、管理センタにおいて複数店舗の出納機の締上処理の完了状況を容易に把握することができる。
【００１４】
請求項２に係る発明によれば、センタ表示機が、情報格納手段から受信した必要情報に含まれる締上処理の完了なしの店舗のみをまとめて表示させる。よって、管理センタにおいて締上処理の完了なしの店舗を即座に把握することができる。
【００１５】
請求項３に係る発明によれば、センタ表示機が、情報格納手段から必要情報を受信した時刻が、予め設定された規定時刻を過ぎている場合に、その旨を表示するため、規定時刻として催促を行う必要がある時刻を設定すれば、催促が必要であることを報知することができる。
【００１６】
請求項４に係る発明によれば、情報格納手段が、予め設定された所定時刻に締上処理の完了なしの店舗に対して所定の警告処理を行うため、締上処理の完了なしの店舗に対して締上処理の実行を予め設定された所定時刻に自動的に催促することができる。
【００１７】
請求項５に係る発明によれば、店舗に設置された店舗表示機が、情報格納手段から受信した必要情報に含まれる締上処理の完了の有無を店舗別に一覧表示させる。よって、店舗表示機が設置された店舗において、自店舗および他店舗の出納機の締上処理の完了状況を容易に把握することができる。
【００１８】
請求項６に係る発明によれば、情報格納手段がＷＥＢサーバ装置であり、表示機がＷＥＢサーバ装置に通信可能なインターネット接続用のＷＥＢブラウザが搭載されたＷＥＢ端末機であるため、容易に低コストでシステムを構築できる。
【００１９】
請求項７に係る発明によれば、ＷＥＢサーバ装置は、アクセスするＷＥＢ端末機が必要情報の読み出しが許可されたＷＥＢ端末機である場合に限り、必要情報の読み出しを許容するため、セキュリティ性を確保できる。
【図面の簡単な説明】
【００２０】
【図１】本発明の一実施形態に係る出納機管理システムを示すブロック図である。
【図２】本発明の一実施形態に係る出納機管理システムの出納機を示す斜視図である。
【図３】本発明の一実施形態に係る出納機管理システムのＷＥＢ端末機の画面表示の一例を示す正面図である。
【図４】本発明の一実施形態に係る出納機管理システムのＷＥＢ端末機の画面表示の別の例を示す正面図である。
【発明を実施するための形態】
【００２１】
本発明の一実施形態に係る出納機管理システムを図面を参照して以下に説明する。
【００２２】
本実施形態に係る出納機管理システム１は、図１に示すように、金融機関の複数の店舗Ａ，Ｂ，…のそれぞれに設置される出納機１１と、サーバ設置施設Ｚ１に設置され、店舗Ａ，Ｂ，…のそれぞれの出納機１１とインターネットＩＮＴを経由して通信するＷＥＢサーバ装置１２（情報格納手段）と、管理センタＺ２に設置され、ＷＥＢサーバ装置１２とインターネットＩＮＴを経由して通信するセンタＷＥＢ端末機１３（センタ表示機）と、複数の店舗Ａ，Ｂ，…のそれぞれに設置され、ＷＥＢサーバ装置１２とインターネットＩＮＴを経由して通信する店舗ＷＥＢ端末機１４（店舗表示機）と、を有している。インターネットＩＮＴは、具体的には、イントラネットであり、アクセスできるＷＥＢ端末機を制限することで安全性を高めた企業内ネットワークとなっている。
【００２３】
出納機１１は、紙幣および硬貨からなる現金と金券等の有価証券とを含む現金類を取り扱うもので、金融機関の店舗Ａ，Ｂ，…のそれぞれに設置されて店舗全体の現金類の処理を管理するものである。出納機１１は、例えば、大口顧客に対する係員による入金、出金等の取引処理、係員による渉外先への持ち出し金の出金処理や、渉外先からの持ち帰り金の入金処理、さらには、営業終了後の設置店舗全体での現金類の入出金状況を一括管理する締上処理を行うものである。
【００２４】
図２に示すように、出納機１１は、紙幣についての入出金処理等を行う紙幣処理装置２１と、紙幣の特に新券についての出金処理等を行う新券処理装置２２と、硬貨についての入出金処理等を行う硬貨処理装置２３とが左右に並設されて構成されている。
【００２５】
紙幣処理装置２１は、その前面側の上部に、機外からバラ紙幣が投入されるとともに機内から出金用のバラ紙幣が繰り出されるバラ紙幣入出金口２５が設けられている。バラ紙幣入出金口２５の下側には、入金処理で受け付け不可と判定された入金リジェクト紙幣が機内から繰り出される入金リジェクト口２６が設けられている。バラ紙幣入出金口２５よりも上側には、機内でバラ紙幣を所定枚数集積し結束してなる小束紙幣を機外に取り出し可能とする束出金口２７が設けられている。
【００２６】
新券処理装置２２には、その前面側の上部に、機内から出金用の新券のバラ紙幣が繰り出される新券出金口３１が設けられている。
【００２７】
硬貨処理装置２３は、その前面側の上部に、機外からバラ硬貨が投入されるバラ硬貨入金口３２が設けられている。バラ硬貨入金口３２の下側には、入金処理で受け付け不可と判定された入金リジェクト硬貨が機内から繰り出される入金リジェクト口３３が設けられている。入金リジェクト口３３の下側には、機内から出金用のバラ硬貨が繰り出されるバラ硬貨出金口３４が設けられている。前面側の上部には、機内でバラ硬貨を所定枚数集積し包装してなる棒金硬貨を機外に取り出し可能とする棒金出金口３５が設けられている。
【００２８】
出納機１１には、図１に示すように、これを制御する制御部４１と、データを記憶する記憶部４２と、係員による操作入力を受け付ける操作部４３と表示を行う表示部４４とが設けられている。制御部４１は、設置店舗内のすべての窓口機４５との間でデータを送受信可能となっており、設置店舗内のすべてのＡＴＭ４６との間でデータを送受信可能となっている。窓口機４５は、テラーが使用する入出金機であり、ＡＴＭ４６は顧客が使用する入出金機である。制御部４１は、インターネットＩＮＴに接続されている。
【００２９】
出納機１１の制御部４１は、当該出納機１１において出金処理および入金処理が行われる度に処理内容を示すジャーナルデータと処理後の当該出納機１１内の現金類の在高データとを記憶部４２に記憶させることになる。また、制御部４１は、各窓口機４５から出金および入金が行われる度に出力される、処理内容を示すジャーナルデータと処理後の窓口機４５内の現金類の在高データとを記憶部４２に記憶させることになり、各ＡＴＭ４６から出金および入金が行われる度に出力される、処理内容を示すジャーナルデータと処理後のＡＴＭ４６内の現金類の在高データとを記憶部４２に記憶させる。これにより、出納機１１は、店舗内のすべての現金類の在高データを一元管理するようになっている。
【００３０】
また、出納機１１の制御部４１は、設置店舗内の現金類の在高データに変動が生じる度に、この在高データを日時情報および設置店舗の識別情報とともにインターネットＩＮＴを経由してリアルタイムでＷＥＢサーバ装置１２に送信することになる。すると、ＷＥＢサーバ装置１２では受信した在高データを日時情報および設置店舗の識別情報とともに、必要情報としてリアルタイムで記憶する。
【００３１】
また、出納機１１の制御部４１は、営業終了時に締上処理を行うと、設置店舗の店舗識別情報と、締上処理実行の日時情報と、当日の締上処理が完了したことを示す締上処理完了情報と、当日の締上処理により確定した設置店舗内の現金類の在高データと、当日のすべてのジャーナルデータとを含む必要情報を、ＷＥＢサーバ装置１２に送信することになる。ＷＥＢサーバ装置１２では、受信したこれらの店舗識別情報、日時情報、締上処理完了情報、在高データおよびジャーナルデータを含む必要情報を記憶する。
【００３２】
ＷＥＢサーバ装置１２は、情報を格納する装置であり、上記したようにサーバ設置施設Ｚ１に設置される。ＷＥＢサーバ装置１２は、インターネットＩＮＴに接続されるサーバ本体５１と、データを記憶するデータベース５２とを有している。サーバ本体５１は、複数の店舗Ａ，Ｂ，…のそれぞれの出納機１１の制御部４１と通信することになり、接続状態が通信可能な状態にある場合には、各出納機１１における締上処理の完了の有無を含む必要情報を制御部４１を介して記憶部４２から受信してデータベース５２に記憶させる。ＷＥＢサーバ装置１２で受信した当日の必要情報に、締上処理完了情報が含まれていれば、当日の締上処理が完了していることになり、受信した当日の必要情報のいずれにも締上処理完了情報が含まれていなければ、当日の締上処理は完了していないことになる。
【００３３】
ＷＥＢサーバ装置１２はアクセスするＷＥＢ端末機を識別し、アクセスするＷＥＢ端末機が必要情報の読み出しが許可されたセンタＷＥＢ端末機１３および店舗ＷＥＢ端末機１４である場合に限り、必要情報の読み出しを許容する。
【００３４】
センタＷＥＢ端末機１３は、上記したように管理センタＺ２に設置されるもので、インターネットＩＮＴに接続される制御部５５と、データを記憶する記憶部５６と、係員による操作入力を受け付ける操作部５７と、係員に対する画面表示を行う表示部５８とを有している。センタＷＥＢ端末機１３は、ＷＥＢサーバ装置１２に通信可能なインターネット接続用のＷＥＢブラウザが搭載されたパーソナルコンピュータである。センタＷＥＢ端末機１３は、他のＷＥＢ端末機と識別するための個別の識別情報を有している。
【００３５】
センタＷＥＢ端末機１３は、その制御部５５が、インターネットＩＮＴを経由してＷＥＢサーバ装置１２と通信し、ＷＥＢサーバ装置１２のサーバ本体５１を介してデータベース５２から複数の店舗Ａ，Ｂ，…のそれぞれの出納機１１における締上処理の完了の有無を含む必要情報を受信して、記憶部５６に記憶させる。制御部５５は、この記憶部５６に記憶させた情報を操作部５７への操作入力より表示部５８に表示させる。制御部５５は、例えば、操作部５７を介して店舗Ａ，Ｂ，…の個別または全部の現金類の在高データを照会する操作が入力されると、ＷＥＢサーバ装置１２のサーバ本体５１を介してデータベース５２から店舗Ａ，Ｂ，…の個別または全部の現金類の在高データを読み出し、表示部５８に表示させる。上記したように、ＷＥＢサーバ装置１２には、店舗Ａ，Ｂ，…のそれぞれの現金類の在高データがリアルタイムで更新記憶されるようになっているため、センタＷＥＢ端末機１３においても、店舗Ａ，Ｂ，…の個別または全部の現金類の在高データをリアルタイムで表示部５８に表示させることができる。
【００３６】
複数の店舗ＷＥＢ端末機１４は、それぞれが、複数の店舗Ａ，Ｂ，…のうち対応する店舗に設置されるもので、インターネットＩＮＴに接続される制御部６５と、データを記憶する記憶部６６と、係員による操作入力を受け付ける操作部６７と、係員に対する画面表示を行う表示部６８とを有している。店舗ＷＥＢ端末機１４は、ＷＥＢサーバ装置１２に通信可能なインターネット接続用のＷＥＢブラウザが搭載されたパーソナルコンピュータである。複数の店舗ＷＥＢ端末機１４は、それぞれが、他のＷＥＢ端末機と識別するための個別の識別情報を有している。
【００３７】
店舗ＷＥＢ端末機１４は、その制御部６５が、インターネットＩＮＴを経由してＷＥＢサーバ装置１２と通信し、ＷＥＢサーバ装置１２のサーバ本体５１を介してデータベース５２から複数の店舗Ａ，Ｂ，…のそれぞれの出納機１１における締上処理の完了の有無を含む必要情報を受信して、記憶部６６に記憶させる。制御部６５は、この記憶部６６に記憶した情報を操作部６７への操作入力より表示部６８に表示させる。
【００３８】
複数の店舗Ａ，Ｂ，…においては、営業日の営業終了時に、それぞれ設置された出納機１１を用いて、現金および有価証券を含む現金類の締上処理が行われることになる。締上処理は、店舗Ａ，Ｂ，…それぞれの当日の入金と出金と現金類の在高とを照合する処理である。出納機１１は、締上処理が行われると、設置店舗の店舗識別情報と、締上処理実行の日時情報と、当日の締上処理が完了したことを示す締上処理完了情報と、当日の締上処理により確定した設置店舗内の現金類の在高データと、当日のすべてのジャーナルデータとを含む必要情報を、ＷＥＢサーバ装置１２に送信することになる。ＷＥＢサーバ装置１２では、受信したこれらの店舗識別情報、日時情報、締上処理完了情報、在高データおよびジャーナルデータを含む必要情報を記憶する。このうち、締上処理完了情報については営業日が変わる毎にリセットされることになる。
【００３９】
センタＷＥＢ端末機１３は、ＷＥＢサーバ装置１２から受信した必要情報に含まれる締上処理の完了の有無を店舗別に一覧表示可能となっている。つまり、センタＷＥＢ端末機１３に、操作部５７を介して店舗Ａ，Ｂ，…の全部の当日の締上処理の状況を照会する操作が入力されると、制御部５５が、ＷＥＢサーバ装置１２のサーバ本体５１を介してデータベース５２から、店舗Ａ，Ｂ，…の全部についての、店舗識別情報と、締上処理実行の日時情報と、当日の締上処理が完了したことを示す締上処理完了情報の有無とを必要情報として受信する。締上処理完了情報がありの場合には、当日の締上処理により確定した店舗内の現金類の在高データと、当日のすべてのジャーナルデータとをさらに必要情報として受信する。締上処理完了情報がなしの場合には、店舗内の現金類の在高データをさらに必要情報として受信する。
【００４０】
そして、センタＷＥＢ端末機１３は、制御部５５が、受信したこれらの必要情報を記憶部５６に記憶させるとともに、表示部５８に、これらの必要情報に含まれる締上処理の完了の有無等を店舗別に一覧表示させる。つまり、締上処理完了情報がありの場合と、締上処理完了情報がなしの場合とを、店舗別に明確に区別して表示部５８に表示させる。
【００４１】
このときの表示部５８の表示の一例を示すと、図３に示すように、必要情報に含まれる店舗識別情報に対応する支店番号を欄ａに、同じく店舗識別情報に対応する支店名を欄ｂに表示させ、それぞれの店舗の出納機１１とＷＥＢサーバ装置１２との接続状態を欄ｃに表示させる。接続状態は、通信可能な状態にあれば「○」を表示させ、通信不可な状態にあれば「×」を表示させる。
【００４２】
また、締上処理の状況として締上処理の状態を欄ｄに、締上処理の日付情報を欄ｅに、それぞれ表示させる。必要情報に当日の締上処理完了情報がありの場合には、欄ｄに「○」を表示させ、必要情報に当日の締上処理完了情報がなしの場合には、欄ｄを空欄とする。当日の締上処理完了情報がありの場合には、欄ｅに当日の「年月日」を表示させ、当日の締上処理完了情報がなしの場合には、最後に締上処理完了情報がありとなった日の「年月日」を表示させる。
【００４３】
また、必要情報に含まれる店舗内の現金類の在高データを欄ｆに表示させ、ジャーナル情報を欄ｇに表示させる。必要情報に当日の締上処理完了情報がある場合には、欄ｆに当日の「年月日」を表示させ、必要情報に当日の締上処理完了情報がない場合には、欄ｆに、最後に締上処理完了情報がありとなった日の「年月日」を表示させる。欄ｇの日付を選択して「ジャーナル照会」の表示ｈをクリックすれば、対応するジャーナル情報を次画面に表示させる。
【００４４】
ここで、センタＷＥＢ端末機１３においては、操作部５７への操作入力により予め規定時刻が設定されており、操作部５７を介して店舗Ａ，Ｂ，…の全部の当日の締上処理の状況を照会する操作が入力されると、制御部５５は、上記処理に加えて、現在時刻が、この規定時刻を過ぎている場合には、その旨を表示部５８に表示させる。例えば、図３に示す範囲ｉに、「規定時刻を過ぎています。締上処理を催促して下さい。」の表示を、点滅表示させる。なお、現在時刻が規定時刻を過ぎていない場合には、範囲ｉへの表示は行わない。この表示を見て、管理センタの担当者は、締上処理が行われていない店舗に連絡をして締上処理を促す。
【００４５】
また、センタＷＥＢ端末機１３は、ＷＥＢサーバ装置１２から受信した必要情報に含まれる締上処理の完了なしの店舗のみをまとめて表示可能となっている。つまり、センタＷＥＢ端末機１３に、操作部５７を介して店舗Ａ，Ｂ，…の全部の当日の締上処理が行われていない店舗を抽出する操作が入力されると、制御部５５が、ＷＥＢサーバ装置１２のサーバ本体５１を介してデータベース５２から、店舗Ａ，Ｂ，…の全部についての、店舗識別情報と、締上処理実行の日時情報と、当日の締上処理が完了したことを示す締上処理完了情報の有無とを必要情報として受信する。締上処理完了情報がありの場合には、当日の締上処理により確定した店舗内の現金類の在高データと、当日のすべてのジャーナルデータとをさらに必要情報として受信する。締上処理完了情報がなしの場合には、店舗内の現金類の在高データをさらに必要情報として受信する。
【００４６】
そして、センタＷＥＢ端末機１３は、制御部５５が、受信したこれらの必要情報を記憶部５６に記憶させるとともに、これらの必要情報に含まれる締上処理の完了なしの店舗のみを表示部５８に一覧表示させる。
【００４７】
このときの表示の一例を示すと、図４に示すように、表示部５８の範囲ｊに、「締上処理が完了無の店舗」のタイトル表示を表示させるとともに、締上処理完了情報がなしの店舗のみ、必要情報に含まれる店舗識別情報に対応する支店番号を欄ｋに、同じく店舗識別情報に対応する支店名を欄ｍに、連絡先の電話番号を欄ｎに表示させる。
【００４８】
ここでも、制御部５５は、上記処理に加えて、現在時刻が予め設定された規定時刻を過ぎている場合には、その旨を表示部５８に表示させる。例えば、図４に示す範囲ｏに、「規定時刻を過ぎています。締上処理を催促して下さい。」の表示を、点滅表示させる。なお、現在時刻が規定時刻を過ぎていない場合には、範囲ｏへの表示は行わない。この表示を見て、担当者は、締上処理が行われていない店舗に連絡をして締上処理を促す。
【００４９】
ＷＥＢサーバ装置１２では、サーバ本体５１が、現在時刻が予め設定された所定時刻になると、データベース５２に記憶された必要情報の中から、当日の締上処理の締上処理完了情報がなしの店舗識別情報を読み出し、この店舗識別情報の店舗に対して所定の警告処理を行う。この所定の警告処理は、例えば、店舗識別情報に対応して記憶された店舗管理者のメールアドレスに締上処理の催促メールを送信したり、店舗管理者の電話番号へ締上処理の催促の自動音声案内を行ったりする。
【００５０】
また、店舗ＷＥＢ端末機１４においても、ＷＥＢサーバ装置１２から受信した必要情報に含まれる締上処理の完了の有無を店舗別に一覧表示可能となっている。つまり、店舗ＷＥＢ端末機１４に、操作部６７を介して店舗Ａ，Ｂ，…の全部の当日の締上処理の状況を照会する操作が入力されると、制御部６５が、ＷＥＢサーバ装置１２のサーバ本体５１を介してデータベース５２から、店舗Ａ，Ｂ，…の全部についての、店舗識別情報と、締上処理実行の日時情報と、当日の締上処理が完了したことを示す締上処理完了情報の有無とを必要情報として受信する。締上処理完了情報がありの場合には、当日の締上処理により確定した店舗内の現金類の在高データと、当日のすべてのジャーナルデータとをさらに必要情報として受信する。締上処理完了情報がなしの場合には、店舗内の現金類の在高データをさらに必要情報として受信する。
【００５１】
そして、店舗ＷＥＢ端末機１４は、制御部６５が、受信したこれらの必要情報を記憶部６６に記憶させるとともに、表示部６８に、これらの必要情報に含まれる締上処理の完了の有無を店舗別に一覧表示させる（図３参照）。
【００５２】
ここで、店舗ＷＥＢ端末機１４においても、予め規定時刻が設定されており、操作部６７を介して店舗Ａ，Ｂ，…の全部の当日の締上処理の状況を照会する操作が入力されると、制御部６５は、上記処理に加えて、現在時刻が、この規定時刻を過ぎている場合には、その旨を表示部６８に表示させる。
【００５３】
また、店舗ＷＥＢ端末機１４は、ＷＥＢサーバ装置１２から受信した必要情報に含まれる締上処理の完了なしの店舗のみをまとめて表示部６８に表示可能となっている。つまり、店舗ＷＥＢ端末機１４に、操作部６７を介して店舗Ａ，Ｂ，…の全部の当日の締上処理が行われていない店舗を抽出する操作が入力されると、制御部６５が、ＷＥＢサーバ装置１２のサーバ本体５１を介してデータベース５２から、店舗Ａ，Ｂ，…の全部についての、店舗識別情報と、締上処理実行の日時情報と、当日の締上処理が完了したことを示す締上処理完了情報の有無とを必要情報として受信する。締上処理完了情報がありの場合には、当日の締上処理により確定した店舗内の現金類の在高データと、当日のすべてのジャーナルデータとをさらに必要情報として受信する。締上処理完了情報がなしの場合には、店舗内の現金類の在高データをさらに必要情報として受信する。
【００５４】
そして、店舗ＷＥＢ端末機１４は、制御部６５が、受信したこれらの必要情報を記憶部６６に記憶させるとともに、これらの必要情報に含まれる締上処理の完了なしの店舗のみを表示部６８に一覧表示させる。ここでも、制御部６５は、上記処理に加えて、現在時刻が予め設定された規定時刻を過ぎている場合には、その旨を表示部６８に表示させる。
【００５５】
以上に述べた本実施形態に係る出納機管理システム１によれば、ＷＥＢサーバ装置１２が、複数の店舗Ａ，Ｂ，…のそれぞれの出納機１１と通信し締上処理の完了の有無を含む必要情報を受信して記憶することになり、管理センタＺ２に設置されたセンタＷＥＢ端末機１３が、ＷＥＢサーバ装置１２から受信した必要情報に含まれる締上処理の完了の有無を店舗別に一覧表示させる。よって、管理センタＺ２において複数店舗Ａ，Ｂ，…の出納機１１の締上処理の完了状況を容易に把握することができる。出納機１１で締上処理を行う場合、締上処理における照合結果が適正ではない場合には調査および再照合を行う必要があるが、店舗の人員の範囲内で調査および再照合を行おうとすると、締上処理が完了するまでに長時間を要してしまう場合がある。本実施形態に係る出納機管理システム１によれば、このような場合に、管理センタＺ２で手配して早期に人的な支援等を行うことができる。
【００５６】
また、センタＷＥＢ端末機１３が、ＷＥＢサーバ装置１２から受信した必要情報に含まれる締上処理の完了なしの店舗のみをまとめて表示させる。よって、管理センタＺ２において締上処理の完了なしの店舗を即座に把握することができる。
【００５７】
また、センタＷＥＢ端末機１３が、ＷＥＢサーバ装置１２から必要情報を受信した時刻が、予め設定された規定時刻を過ぎている場合に、その旨を表示するため、規定時刻として催促を行う必要がある時刻を設定すれば、催促が必要であることを報知することができる。
【００５８】
また、ＷＥＢサーバ装置１２が、予め設定された所定時刻に締上処理の完了なしの店舗に対して所定の警告処理を行うため、締上処理の完了なしの店舗に対して締上処理の実行を予め設定された所定時刻に自動的に催促することができる。
【００５９】
また、店舗に設置された店舗ＷＥＢ端末機１４が、ＷＥＢサーバ装置１２から受信した必要情報に含まれる締上処理の完了の有無を店舗別に一覧表示させる。よって、店舗ＷＥＢ端末機１４が設置された店舗において、自店舗および他店舗の出納機１１の締上処理の完了状況を容易に把握することができる。
【００６０】
また、ＷＥＢサーバ装置１２に情報を格納し、ＷＥＢサーバ装置１２に通信可能なインターネット接続用のＷＥＢブラウザが搭載されたＷＥＢ端末機１３，１４にＷＥＢサーバ装置１２から読み出した情報の表示を行わせるため、容易に低コストでシステムを構築できる。
【００６１】
また、ＷＥＢサーバ装置１２は、アクセスするＷＥＢ端末機が必要情報の読み出しが許可されたＷＥＢ端末機１３，１４である場合に限り、必要情報の読み出しを許容するため、セキュリティ性を確保できる。
【符号の説明】
【００６２】
１  出納機管理システム
１１  出納機
１２  ＷＥＢサーバ装置（情報格納手段）
１３  センタＷＥＢ端末機（センタ表示機）
１４  店舗ＷＥＢ端末機（店舗表示機）
Ａ，Ｂ  店舗
ＩＮＴ  インターネット
Ｚ２  管理センタ
【図１】
2015176551.tif 000003
【図２】
2015176551.tif 000004
【図３】
2015176551.tif 000005
【図４】
2015176551.tif 000006